【事件の表示】
　特願２０１０−２７３３５６号「パチンコ遊技機の島設備」拒絶査定不服審判事件〔平成２４年６月２８日出願公開、特開２０１２−１２０６７１号〕について、次のとおり審決する。
【結　論】
　本件審判の請求は、成り立たない。
【理　由】
第１　手続の経緯の概要
　本願は、平成２２年１２月８日の出願であって、平成２６年９月１２日付けで拒絶の理由が通知され、同年１１月１７日に意見書及び手続補正書が提出されたところ、平成２７年４月２０日付けで拒絶査定がなされ（発送日：同年５月７日）、それに対し、同年７月２１日に拒絶査定不服審判の請求がなされると同時に手続補正書が提出されたものである。
　
第２　平成２７年７月２１日付けの手続補正についての補正却下の決定
　平成２７年７月２１日付けの手続補正（以下「本件補正」という。）を却下する。
　
［理由］
　１　補正の内容
　本件補正は、特許請求の範囲の補正を含んでおり、本件補正により、平成２６年１１月１７日付けの手続補正書における請求項１について
　「パチンコ遊技機が複数並列に設置されたパチンコ遊技機の島設備であって、
　島設備を構成するフレーム上に配設されるとともに、揚送手段により揚送されて各パチンコ遊技機に対して補給すべき遊技球を貯留可能な上部タンクと、
　島設備の長手方向に向かって延設され、前記上部タンクからの遊技球を流通させ得る流通路と、
　該流通路で流通させる遊技球に対し、その流通の途中で力を付与するとともに、複数の遊技球に対して同時に摩擦力を付与し得る摩擦力付与手段を有した駆動手段と、
を具備したことを特徴とするパチンコ遊技機の島設備。」を、
　
　審判請求時に提出された手続補正書（平成２７年７月２１日付け）における
　「パチンコ遊技機が複数並列に設置されたパチンコ遊技機の島設備であって、
　島設備を構成するフレーム上に配設されるとともに、揚送手段により揚送されて各パチンコ遊技機に対して補給すべき遊技球を貯留可能な上部タンクと、
　島設備の長手方向に向かって
傾斜しつつ
自重にて
　該流通路で流通させる遊技球に対し、その流通の途中
の所定位置
を具備したことを特徴とするパチンコ遊技機の島設備。」
に補正すること（下線は、補正箇所を明示するために審決にて付した。）である。
　
　２　補正の目的
　上記補正は、補正前の請求項１に記載した発明を特定するために必要な事項である流通路に関して、「島設備の長手方向に向かって延設され、前記上部タンクからの遊技球を流通させ得る」を「島設備の長手方向に向かって
傾斜しつつ
自重にて
の所定位置
　
　そして、本件補正は新規事項を追加するものではない。
　
　３　独立特許要件について
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第７項の規定に適合するか）について以下に検討する。
　
　（１）刊行物
　原査定の拒絶理由において提示された、本願の出願前に頒布された刊行物である特開２０１０−１２１３９号公報（以下「刊行物１」という。）には、図面と共に次の事項が記載されている（下線は審決にて付した。以下同じ。）。
　　　ア　「【特許請求の範囲】
【請求項１】
　複数の遊技機が配列された遊技島に設けられ、各遊技機に遊技球を供給する遊技球供給装置において、
　前記遊技島の長手方向に傾斜して配設された第一補給樋と、
　前記遊技島の長手方向に傾斜して前記第一補給樋と直列に配設され、上流端部が前記第一補給樋の下流端部よりも高い位置に設けられた第二補給樋と、
　前記第一補給樋及び第二補給樋の長手方向に沿って配設され、前記第一補給樋及び第二補給樋を転動する遊技球を各遊技機へと導く複数の補給シュートと、
　前記第一補給樋の下流端部と前記第二補給樋の上流端部との間に配設され、前記第一補給樋から排出された遊技球を前記第二補給樋へと搬送する搬送装置と、を備え、
　前記搬送装置は、
　前記遊技島の短手方向に延びる回転軸を中心に回転する回転体を備え、
　前記回転体は、外周縁に配設された磁性体の磁力によって遊技球を外周面に吸着させて搬送することを特徴とする遊技球供給装置。」
　
　　　イ　「【技術分野】
【０００１】
　本発明は、遊技島に設けられ、遊技球を遊技機に供給する遊技球供給装置に関するものである。」
　
　　　ウ　「【０００５】
　特許文献１に開示の供給装置は、遊技球をフィンと曲面部によって搬送するものであるため、遊技球が玉搬送ユニットの入口部等においてフィンと曲面部の間に挟まり、詰まる可能性がある。言い換えれば、広い空間から狭い空間へ遊技球を搬送する構造であるが故に、玉詰まりの危険性が回避できないものとなっている。
【０００６】
　その結果、遊技店の営業中に、供給装置にて頻繁に遊技球の詰まりが発生し、各遊技機に遊技球が安定して供給されないような事態が発生した場合には、遊技者に多大な迷惑を掛けたり、遊技店に多大な損害を与えたりするおそれがある。
【０００７】
　本発明は、上記の問題点に鑑みてなされたものであり、遊技機に安定して遊技球を供給可能な遊技球供給装置を提供することを目的とする。」
　
　　　エ　「【００１８】
　以下、図面を参照して、本発明の実施の形態について説明する。
【００１９】
　まず、図１を参照して、本実施の形態に係る遊技球供給装置１が設けられる遊技島１００について説明する。図１は、遊技島１００の内部構造を示す側面図である。
【００２０】
　
遊技島１００は
複数の遊技機
や付帯設備が設けられる
【００２１】
　遊技島１００は、長手方向（図１においては紙面左右方向）に２列に配列された複数の遊技機設置開口部５を有する。図１においては遊技島１００の表面側の遊技機設置開口部５の列のみを図示するが、遊技島１００の裏面側にも遊技機設置開口部５の列が形成される。この遊技機設置開口部５には遊技機が設置される。これにより、
遊技機は、遊技島１００の長手方向に配列される
【００２２】
　遊技島１００における遊技機の下方には、遊技に用いられる遊技球を貯留するための下部タンク２が設けられる。下部タンク２の遊技球は、小型揚送装置６によって下部タンク２から排出され、回収樋７を通り、遊技島１００の長手方向略中央に設けられた揚送装置３に導かれる。
【００２３】
　揚送装置３は、遊技球を磨きながら上方へと揚送する装置であり、
揚送装置３によって揚送された遊技球は、揚送装置３の上部に設置された上部タンク４へと導かれる
【００２４】
　上部タンク４の左右両側には
遊技球が
各遊技機
へと供給する遊技球供給装置１が連結される
上部タンク４の一方側に連結された遊技球供給装置１
・・・
【００２７】
　このように、遊技島１００内の遊技球は、遊技島１００内を循環する。
【００２８】
　
遊技球供給装置１は、上流端部１０ａが上部タンク４の排出口４ａに接続され遊技島１００の長手方向に傾斜して配設された第一補給樋１０と、遊技島１００の長手方向にかつ第一補給樋１０と同一方向に向かって傾斜し、第一補給樋１０と直列に配設された第二補給樋１１と
第一補給樋１０の下流端部１０ｂと第二補給樋１１の上流端部１１ａとの間に配置され、第一補給樋１０の下流端部１０ｂから排出された遊技球を第二補給樋１１の上流端部１１ａへと搬送する搬送装置１２とを備える
【００２９】
　
第一補給樋１０及び第二補給樋１１は、遊技球が転動可能な傾斜角度に形成され
【００３０】
　搬送装置１２は、遊技島１００上部の取付部１５に取り付けられ、第二補給樋１１の上流端部１１ａが第一補給樋１０の下流端部１０ｂよりも高い位置となるように、第一補給樋１０と第二補給樋１１を連結する。
【００３１】
　第一補給樋１０及び第二補給樋１１には、転動する遊技球を各遊技機へと導く複数の補給シュート１３が、長手方向に沿って配設される。
【００３２】
　補給シュート１３は、第一補給樋１０及び第二補給樋１１の両側のそれぞれに配設され、図１において手前側の補給シュート１３は、遊技島１００手前側に設置された遊技機及び球貸機に対して遊技球を導き、奥側の補給シュート１３は、遊技島１００奥側に設置された遊技機及び球貸機に対して遊技球を導く。
【００３３】
　次に、図２〜図４を参照して、遊技球供給装置１について詳しく説明する。図２は遊技球供給装置１の要部分解斜視図であり、図３は遊技球供給装置１の要部側面図であり、図４は搬送装置１２の分解斜視図である。
【００３４】
　
搬送装置１２は
回転体２０を備え
回転体２０の外周縁に配設された磁性体の磁力によって遊技球を回転体２０の外周面に吸着させて搬送する
・・・
【００３８】
　
モータ３２が回転駆動することによって
回転体２０は
回転する。
　
　　　オ　「【００７３】
　以上のように、供給ガイド４１の傾斜を大きくし、かつ第一補給樋１０との間に段差を設けることによって、図５（ｃ）に示すように、第一補給樋１０から排出される遊技球を、供給ガイド４１の転動面４１ａと回転体２０の外周面とで囲まれた磁界の影響を受け易い領域へと流れ込ませることができる。これにより、回転体２０の外周面近傍の遊技球の個数が多くなるため、磁界の作用によって回転体２０の外周面に遊技球が吸着し易くなる。
・・・
【００８１】
　以上の本実施の形態によれば、以下に示す作用効果を奏する。
【００８２】
　硬磁性体２３、硬磁性体２３に吸着した遊技球、及び軟磁性体によって回転体２０の外周縁には磁気回路が構成され、その磁気回路によって
複数の遊技球が回転体２０の外周面に
吸着する
【００８３】
　このように、遊技球供給装置１は、回転体２０の外周縁に配設された磁性体の磁力によって、遊技球を回転体２０の外周面に吸着させて搬送するものであるため、遊技球の搬送経路は広い空間から狭い空間へ搬送される構造とはならない。また、遊技球を搬送するための部材を回転体２０に設ける必要がない。したがって、球詰まりを起こすおそれがなく、遊技機に安定して遊技球を供給することができる。また、回転体２０を簡便な構造にすることができる。」
　
　　　カ　上記ア〜オの記載事項から、刊行物１には以下の発明（以下「刊行物発明」という。）が記載されていると認められる。
　「長手方向に配列された複数の遊技機や付帯設備が設けられた遊技島１００において、
　揚送装置３の上部に設置され、揚送装置３によって揚送された遊技球が導かれ、遊技球を各遊技機へと供給する上部タンク４と、
　上部タンク４の一方側に連結された遊技球供給装置１と
を備え、
　遊技球供給装置１は、
　　上流端部１０ａが上部タンク４の排出口４ａに接続され遊技島１００の長手方向に傾斜して配設された第一補給樋１０と、遊技島１００の長手方向にかつ第一補給樋１０と同一方向に向かって傾斜し、第一補給樋１０と直列に配設された第二補給樋１１と、
　　第一補給樋１０の下流端部１０ｂと第二補給樋１１の上流端部１１ａとの間に配置され、第一補給樋１０の下流端部１０ｂから排出された遊技球を第二補給樋１１の上流端部１１ａへと搬送する搬送装置１２と
を有し、
　第一補給樋１０及び第二補給樋１１は、遊技球が転動可能な傾斜角度に形成され、
　搬送装置１２は、モータ３２により回転駆動される回転体２０を備え、回転体２０の外周縁に配設された磁性体の磁力によって複数の遊技球を回転体２０の外周面に吸着させて搬送する
　遊技島１００。」
　
　（２）対比
　本件補正発明と刊行物発明とを対比する。
　　　ア　刊行物発明における「長手方向に配列された複数の遊技機や付帯設備が設けられた遊技島１００」と、本件補正発明における「パチンコ遊技機が複数並列に設置されたパチンコ遊技機の島設備」とを対比する。
　刊行物発明における「長手方向に配列された複数の遊技機」は、本件補正発明における「複数並列に設置された」「パチンコ遊技機」に相当する。
　したがって、刊行物発明における「遊技島１００」は、本件補正発明における「パチンコ遊技機の島設備」に相当する。
　
　　　イ　刊行物発明における「揚送装置３の上部に設置され、揚送装置３によって揚送された遊技球が導かれ、遊技球を各遊技機へと供給する上部タンク４」と、本件補正発明における「島設備を構成するフレーム上に配設されるとともに、揚送手段により揚送されて各パチンコ遊技機に対して補給すべき遊技球を貯留可能な上部タンク」とを対比する。
　刊行物発明における「揚送装置３によって揚送された遊技球」は、本件補正発明における「揚送手段により揚送され」た「遊技球」に相当する。
　そして、刊行物発明における「各遊技機へと供給する」「遊技球」は、本件補正発明における「各パチンコ遊技機に対して補給すべき遊技球」に相当する。
　また、刊行物発明における「上部タンク４」は、遊技球を貯留するものであることは自明であるから、本件補正発明の「遊技球を貯留可能な上部タンク」に相当する。
　
　したがって、刊行物発明における「揚送装置３の上部に設置され、揚送装置３によって揚送された遊技球が導かれ、遊技球を各遊技機へと供給する上部タンク４」と、本件補正発明における「島設備を構成するフレーム上に配設されるとともに、揚送手段により揚送されて各パチンコ遊技機に対して補給すべき遊技球を貯留可能な上部タンク」とは、「揚送手段により揚送されて各パチンコ遊技機に対して補給すべき遊技球を貯留可能な上部タンク」である点で共通する。
　
　　　ウ　刊行物発明における「遊技球供給装置１は、上流端部１０ａが上部タンク４の排出口４ａに接続され遊技島１００の長手方向に傾斜して配設された第一補給樋１０と、遊技島１００の長手方向にかつ第一補給樋１０と同一方向に向かって傾斜し、第一補給樋１０と直列に配設された第二補給樋１１と」を有することと、本件補正発明における「島設備の長手方向に向かって傾斜しつつ延設され、前記上部タンクからの遊技球を自重にて流通させ得る流通路」とを対比する。
　刊行物発明における「遊技島１００の長手方向に傾斜して配設され」たことは、本件補正発明における「島設備の長手方向に向かって傾斜しつつ延設され」ることに相当する。
　そして、刊行物発明において、「第一補給樋１０」は、「上流端部１０ａが上部タンク４の排出口４ａに接続され」るものであり、また、「第二補給樋１１」は、「第一補給樋１０と直列に配設された」ものである。
　また、刊行物発明における「第一補給樋１０及び第二補給樋１１は、遊技球が転動可能な傾斜角度に形成され」るものであり、遊技球の転動が自重により生じることは明らかである。
　したがって、刊行物発明における「第一補給樋」及び「第二補給樋」は、本件補正発明における「島設備の長手方向に向かって傾斜しつつ延設され、前記上部タンクからの遊技球を自重にて流通させ得る流通路」に相当する。
　
　　　エ　刊行物発明における「遊技球供給装置１」は、「第一補給樋１０の下流端部１０ｂと第二補給樋１１の上流端部１１ａとの間に配置され、第一補給樋１０の下流端部１０ｂから排出された遊技球を第二補給樋１１の上流端部１１ａへと搬送する搬送装置１２」を有することと、本件補正発明における「該流通路で流通させる遊技球に対し、その流通の途中の所定位置で力を付与するとともに、複数の遊技球に対して同時に摩擦力を付与し得る摩擦力付与手段を有した駆動手段」とを対比する。
　まず、本件補正発明において、その明細書には、「流通路で流通させる遊技球に対し、その流通の途中で力を付与する」ことに関して、「駆動手段５にて流通路４を流れる過程の遊技球に対して力を付与することにより、流通路をそれほど大きく傾斜させなくてもスムーズに流通させることができ、島設備１の高さ寸法Ｈを小さくすることができる」（【００３２】）こと、「以上、本実施形態について説明したが、本発明はこれに限定されるものではなく、駆動手段５におけるスプロケット１５に代えて、例えば図８に示すような複数の摩擦力付与手段１９としてもよい。かかる摩擦力付与手段１９は、モータ１８の
駆動力にて回転して遊技球に対して同時に摩擦力を付与し得る
　これらの記載から、本件補正発明における「流通路で流通させる遊技球に対し、その流通の途中の所定位置で力を付与する」ことの意味は、「多数の遊技球を上部タンク３から島設備の端部に向かってスムーズに流通させる」ために駆動手段５による回転力を付与することにあると解される。
　これに対して、刊行物発明の「搬送装置１２」は、「第一補給樋１０の下流端部１０ｂと第二補給樋１１の上流端部１１ａとの間に配置され」るものであり、また、「複数の遊技球を回転体２０の外周面に吸着」させ、吸着された複数の遊技球を回転体２０の回転力、及び、磁性体の磁力により「搬送」し、流通させるものである。そうすると、刊行物発明の「搬送装置１２」は、複数の遊技球に回転力を付与し、搬送させるものである。
　したがって、刊行物発明の「第一補給樋１０の下流端部１０ｂと第二補給樋１１の上流端部１１ａとの間」は、本件補正発明の「流通の途中の所定位置」に相当し、刊行物発明の「回転体２０を備え、回転体２０の外周縁に配設された磁性体の磁力によって複数の遊技球を回転体２０の外周面に吸着させて搬送する」「搬送装置１２」と、本件補正発明の「力を付与する」「駆動手段」とは、「力を付与する駆動手段」である点で共通する。
　よって、刊行物発明の「搬送装置１２」と本件補正発明の「駆動手段」とは、流通路の途中の所定位置に設けられるものであって、上部タンクから多数の遊技球を島設備に設置された各遊技機へ流通路を介して流通させるために回転力を付与するものであるから、共に、「流通路で流通させる遊技球に対し、その流通の途中の所定位置で力を付与する駆動手段」であることで共通する。
　
　　　オ　上記ア〜エより、本件補正発明と刊行物発明とは、
　「パチンコ遊技機が複数並列に設置されたパチンコ遊技機の島設備であって、
　揚送手段により揚送されて各パチンコ遊技機に対して補給すべき遊技球を貯留可能な上部タンクと、
　島設備の長手方向に向かって傾斜しつつ延設され、前記上部タンクからの遊技球を自重にて流通させ得る流通路と、
　該流通路で流通させる遊技球に対し、その流通の途中の所定位置で力を付与する駆動手段と、
を具備したパチンコ遊技機の島設備。」
　の点で一致し、以下の点で相違する。
　
［相違点１］
　上部タンクが、
　本件補正発明は、島設備を構成するフレーム上に配設されるのに対して、
　刊行物発明は、揚送装置３の上部に設置されるが、島設備を構成するフレーム上に配設されるか否か明らかでない点。
　
［相違点２］
　力を付与する駆動手段が、
　本件補正発明は、力を付与するとともに、複数の遊技球に対して同時に摩擦力を付与し得る摩擦力付与手段を有しているのに対して、
　刊行物発明は、力を付与するとともに、複数の遊技球を磁力によって回転体２０に吸着させるものである点。
　
　（３）当審の判断
　　　ア　相違点１について
　遊技機の技術分野において、上部タンクを、島設備を構成するフレーム上に配設することは、本願出願前に周知の技術事項である（例えば、特開平１１−１９３２０号公報の【図３】、【００１９】、【００２０】には、上部タンク１４をフレーム体１１上に配置したことが示され、
　特開２００７−６８７４０号公報の【図１】、【００３５】、【００３６】には、上部タンク７０を島枠上に配置したことが示され、
　特開２００８−１４８９３９号公報の【図３】、【図４】、【００１９】、【００４７】には、上部タンクＵＴを上枠杆２１Ｕ上に配置したことが示されている。以下「周知の技術事項１」という。）。
　したがって、刊行物発明の「上部タンク４」に上記周知の技術事項１を適用して、揚送装置３の上部に設置された上部タンク４を島設備を構成するフレーム上に配設し、上記相違点１に係る本件補正発明の構成にすることは、当業者が容易になし得たものである。
　
　　　イ　相違点２について
　遊技機の技術分野において、力を付与するとともに、搬送する複数の遊技球に対して同時に摩擦力を付与し得る摩擦力付与手段を有する駆動回転手段を備えることは、原査定でも指摘しているとおり、本願出願前に周知の技術事項である（例えば、特開平８−１９６７２５号公報の【０００８】、【０００９】、【図２】には、インダクションモータで回転駆動され、玉を摩擦力を有して当接するゴム製の回転盤１４により送給管１５内を一列状に整列して揚送し供給する移送駆動装置１０について記載され、
　特開２０００−２１８０２１号公報の【００１０】、【００１４】、【図３】、【図８】には、弾性のある合成ゴム製の回転ローラ１４の外周面で玉を圧送し、フレキシブル管１０を通じて玉を移送する玉揚送機７について記載され、
　特開平９−１４９９７８号公報の【図４】、【００１３】、【００２３】には、摩擦係数の大きな、モータによって回転される押上げドラムと玉案内板との協働でパチンコ玉を押上げることが記載され、
　特開２０００−２４５９４７号公報の【図１】、【図５】、【００１３】、【００１４】、【００２９】、【００３０】、【００３２】には、駆動モータ２３の動作により一定方向に回動するローラ２２の弾性面２２ａと、ケース２１の内面との間でパチンコ玉Ｐを挟み込んで搬送することが記載されている。以下「周知の技術事項２」という。）。
　そして、刊行物発明における「搬送装置１２」と、上記周知の技術事項２における「駆動手段」とは、回転力を付与することにより遊技球を搬送する点で共通するものである。
　したがって、刊行物発明の「搬送装置１２」を構成する、複数の遊技球を外周面に吸着させて搬送する回転体２０を上記周知の技術事項２に置換して、摩擦力付与手段を有する駆動回転手段とし、搬送する複数の遊技球に対して（回転）力を付与するとともに、同時に摩擦力を付与し、上記相違点２に係る本件補正発明の構成にすることは、当業者が容易になし得たものである。
　
　　　ウ　請求人の主張について
　請求人は、平成２７年７月２１日付けの審判請求書において、
　「（Ａ）特に、本願発明に係る摩擦力付与手段を有した駆動手段は、流通路による遊技球の流通の途中の所定位置に配設されるため、「遊技球が流通する際の補助力の付与と、遊技球の表面の払拭との両方の効果を十分に行わせ得る位置に設定でき、遊技球の流通及び表面の払拭を円滑且つ効果的に行わせることができる」なる効果（上記効果（３）参照）を奏し得るのに対し、引用文献４〜６（引用文献１〜３も同様）に記載の発明は、当該効果を奏することは決してないのである。
　（Ｂ）しかして、引用文献４〜６に記載された発明は、何れも本願発明の如き「自重によって遊技球を流通させる流通路」を有するものではなく、「摩擦力付与手段を有した駆動手段が遊技球の流通の途中の所定位置で力を付与する」ものでもないことから、これら引用文献４〜６を勘案しても、当業者が本願発明を想到するのには困難性を伴うと確信する。」（６頁１２〜２２行）と主張する。
　
　そこで、請求人の上記主張（Ａ）、（Ｂ）について検討する。
　まず、本件補正発明の奏する効果について検討する。
　本願明細書には、遊技球の表面の払拭に関して、揚送機６の下部に配設された研磨機８により遊技球を研磨或いは払拭すること（【００１９】）が記載されている。しかしながら、駆動手段５における摩擦力付与手段１９について、遊技球を流通させる機能を有することは記載されているが、遊技球の表面払拭の機能を有することは記載も示唆もされていない。
　したがって、本願発明が「遊技球の表面の払拭」する効果を奏するという請求人の上記主張（Ａ）を採用することはできない。
　そして、本件補正発明が仮に請求人が上記（Ａ）において主張するような効果を奏するものとしても、駆動手段に関する上記周知の技術事項２は、遊技球に対して、力を付与するとともに、同時に摩擦力を付与し得る摩擦力付与手段を有するものであるから、本件補正発明と同様に「遊技球の表面の払拭を円滑且つ効果的に行わせることができる」という効果を奏するものといえる。
　
　ところで、刊行物発明は、本件補正発明における「上部タンクからの遊技球を自重にて流通させ得る流通路」と、流通路の途中の所定位置で回転力を付与する駆動手段とを備えるものである。このように、刊行物発明は、「遊技球を自重にて流通させ得る流通路」を備えることを前提とするものである。
　そして、上記イにおいて検討したように、力を付与するとともに、搬送する複数の遊技球に対して同時に摩擦力を付与し得る摩擦力付与手段を有した駆動回転手段を備えることは周知の技術である（周知の技術事項２を参照。）。
　したがって、「遊技球を自重にて流通させ得る流通路」を有する刊行物発明において、（回転）力を付与するとともに、同時に「摩擦力付与手段を有した駆動手段が遊技球の流通の途中の所定位置で力を付与する」ことは、上記周知の技術事項２を適用することにより当業者が容易に導き出すことができるものであるから、請求人の上記主張（Ｂ）を採用することはできない。
　
　これらのことからみて、請求人の上記主張（Ａ）、（Ｂ）を採用することはできない。
　
　　　エ　小括
　本件補正発明により奏される効果は、当業者が、刊行物発明及び周知の技術事項１、２から予測し得た範囲内のものであって、格別のものではない。
　したがって、上記ア〜ウにおいて検討したように、本件補正発明は、刊行物発明及び周知の技術事項１、２に基づいて当業者が容易に発明をすることができたものであるから、特許法第２９条第２項の規定により、特許出願の際独立して特許を受けることができない。
　
　４　むすび
　上記１〜３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１、２に係る発明は、平成２６年１１月１７日付け手続補正書の特許請求の範囲の請求項１、２に係る発明であるところ、その請求項１に係る発明（以下「本願発明」という。）は、その請求項１に記載された事項により特定される次のとおりのものである。
　
　「パチンコ遊技機が複数並列に設置されたパチンコ遊技機の島設備であって、
　島設備を構成するフレーム上に配設されるとともに、揚送手段により揚送されて各パチンコ遊技機に対して補給すべき遊技球を貯留可能な上部タンクと、
　島設備の長手方向に向かって延設され、前記上部タンクからの遊技球を流通させ得る流通路と、
　該流通路で流通させる遊技球に対し、その流通の途中で力を付与するとともに、複数の遊技球に対して同時に摩擦力を付与し得る摩擦力付与手段を有した駆動手段と、
を具備したことを特徴とするパチンコ遊技機の島設備。」
　
　２　刊行物
　刊行物及びその記載事項、刊行物発明は、前記「第２　３（１）刊行物」に記載したとおりである。
　
　３　対比・判断
　本願発明は、前記「第２　２　補正の目的」において検討したとおり、本件補正発明において、流通路に関して、「島設備の長手方向に向かって
傾斜しつつ
自重にて
の所定位置
　そして、補正により限定された点は、いずれも刊行物１に開示されている技術事項であり、本願発明と刊行物発明を対比すると、前述の相違点１、２において両者は相違し、残余の点で一致する。
　そうすると、本願発明の発明特定事項（構成要件）をすべて含み、さらに、他の発明特定事項（構成要件）を付加したものに相当する本件補正発明が、前記「第２　３（３）当審の判断」に記載したとおり、刊行物発明及び周知の技術事項１、２に基づいて当業者が容易に発明をすることができたものであるから、本願発明も、同様に、刊行物発明及び周知の技術事項１、２に基づいて当業者が容易に発明をすることができたものである。
　
　４　むすび
　以上のとおりであるから、本願発明は、特許法第２９条第２項の規定により特許を受けることができない。
　したがって、その余の請求項について検討するまでもなく、本願は、拒絶されるべきものである。
　
　よって、結論のとおり審決する。